(57)【特許請求の範囲】
【請求項１】
袋と、該袋の両端に設けられた封止領域と、該袋の収納部及び該封止領域内に挿通されている連続ロープとよりなり、該連続ロープは該封止領域内で固定されていると共に、該袋の両端から外部に露出していることを特徴とするロープ入り袋。
【請求項２】
長手方向に直列に配置している袋群と、各袋の両端に設けられた封止領域群と、各袋の収納部及び各封止領域内に挿通されている連続ロープとよりなり、該連続ロープは各封止領域内で固定されていると共に、端末から外部に露出していることを特徴とするロープ入り袋。
【請求項３】
袋の素材が、熱可塑性繊維を構成繊維の主体とする不織布であって、封止領域は、該熱可塑性繊維の融着固化によって連続ロープを固定している請求項１又は２記載のロープ入り袋。
【請求項４】
熱可塑性繊維が低融点成分と高融点成分とからなる複合繊維である請求項３記載のロープ入り袋。
【請求項５】
連続ロープが熱可塑性合成繊維製ロープである請求項１又は２記載のロープ入り袋。
【請求項６】
連続ロープが熱可塑性合成繊維ストランドを編組して得られた中空ロープである請求項１又は２記載のロープ入り袋。
【請求項７】
袋に、金属，砂，肥料，発泡体及び使用済みペットボトルよりなる群から選ばれた被収納物が収納されている請求項１又は２記載のロープ入り袋。
【発明の詳細な説明】
【技術分野】
【０００１】
本発明は、袋の補強のため及び袋の緊締のために、袋にロープを結合したロープ入り袋に関するものである。
【背景技術】
【０００２】
本発明者は、図１に示すような、長手方向に直列に配置している袋１，１，１・・・群を備えた長尺状の袋を種々提案している（特許文献１〜４）。この長尺状の袋は、袋１が長手方向に直列に配置されており、隣り合う袋１，１間には、各袋１を区画する封止領域２が設けられてなるものである。封止領域２は、袋の素材である不織布を融着固化させて形成させたものである。そして、袋１内に金属製錘や砂等を収納して重錘体として使用したり（特許文献１〜３）、肥料を収納して施肥体として使用する（特許文献４）ことを提案している。
【０００３】
かかる長尺状の袋は、種々の方法で使用されるが、たとえばカラス避けネットの重錘体として使用する場合、長尺状の袋を編組体で被覆して重錘体紐とし、カラス避けネット本体の周辺に縫着して使用されている。また、たとえば海苔養殖の際の施肥体として使用する場合、長尺状の袋をネット袋に収納して、このネット袋の口縁に設けた紐で、海苔網本体の周辺に緊締して使用されている。
【０００４】
【特許文献１】実用新案登録第３１２２５９３号公報
【特許文献２】実用新案登録第３１２３８２２号公報
【特許文献３】実用新案登録第３１３１４１３号公報
【特許文献４】実用新案登録第３１４５４７５号公報
【発明の概要】
【発明が解決しようとする課題】
【０００５】
しかしながら、長尺状の袋を編組体で被覆して重錘紐を得るには、長尺状の袋を芯として、糸で編組体を編み込みながら製造するため、長尺状の袋の長手方向に大きな張力が負荷され、長尺状の袋が切断するという恐れがあった。また、海苔養殖の施肥体として使用する場合には、長尺状の袋とは別にネット袋を準備して、このネット袋に長尺状の袋を収納乃至は挿入しネット袋に設けられた紐で緊締しなければならず、施肥体の設置が煩わしいということがあった。
【０００６】
そこで、本発明の課題は、袋の強力を向上させると共に、別の部材を用いることなく自由に緊締しうる袋を提供することにある。
【課題を解決するための手段】
【０００７】
上記課題を解決するために、本発明は新規な方法で袋に連続ロープを結合したものである。すなわち、本発明は、袋と、該袋の両端に設けられた封止領域と、該袋の収納部及び該封止領域内に挿通されている連続ロープとよりなり、該連続ロープは該封止領域内で固定されていると共に、該袋の両端から外部に露出していることを特徴とするロープ入り袋に関するものである。また、長手方向に直列に配置している袋群と、各袋の両端に設けられた封止領域群と、各袋の収納部及び各封止領域内に挿通されている連続ロープとよりなり、該連続ロープは各封止領域内で固定されていると共に、端末から外部に露出していることを特徴とするロープ入り袋に関するものである。
【発明の効果】
【０００８】
本発明に係るロープ入り袋は、連続ロープが袋の収納部及び封止領域内に挿通されているので、袋の引張強力が連続ロープによって補強されることになり、袋の引張強力が向上するという効果を奏する。また、連続ロープは、袋の外部に露出しているので、この露出部分を用いて任意の箇所に袋を緊締することができ、袋の緊締のために別の部材を準備する必要がなくなるという効果を奏する。
【図面の簡単な説明】
【０００９】
【図１】特許文献１〜４に記載されている長尺状の袋の平面図である。
【図２】本発明の一例に係るロープ入り袋の平面図である。
【図３】本発明の他の例に係るロープ入り袋の平面図である。
【図４】本発明の他の例に係るロープ入り袋の平面図である。
【図５】本発明の他の例に係るロープ入り袋の平面図である。
【図６】本発明の他の例に係るロープ入り袋の平面図である。
【図７】図３に示したロープ入り袋のＡ−Ａ線断面図である。
【発明を実施するための形態】
【００１０】
まず、本発明を構成する袋の素材について説明する。袋の素材は限定するものではないが、一般的に熱可塑性繊維よりなる布帛が用いられる。特に、熱可塑性繊維を構成繊維の主体とする不織布を採用するのが好ましい。熱可塑性繊維を用いる理由は、当該熱可塑性繊維の融着固化によって袋１を形成又は区画する封止領域２が形成でき、かつ、連続ロープ３を固定できるからである。熱可塑性繊維としては、ポリオレフィン繊維、ポリエステル繊維、ポリアミド繊維等が用いられる。不織布は熱可塑性繊維のみからなっていてもよいし、熱可塑性繊維の他に、レーヨン繊維やコットン繊維等の非熱可塑性繊維が若干量混合されていてもよい。熱可塑性繊維相互間は、熱可塑性繊維自体の溶融又は軟化によって結合しており、不織布としての形態を維持しているのが好ましい。また、熱可塑性繊維として、低融点成分と高融点成分とからなる複合繊維を用いてもよい。具体的には、低融点成分を鞘成分とし高融点成分を芯成分となる芯鞘型複合繊維や、断面半月状の低融点成分と高融点成分とが貼り合わされてなるサイドバイサイド型複合繊維を用いてもよい。そして、各複合繊維相互間が、低融点成分の溶融又は軟化によって結合されて不織布としての形態を維持しているものであってもよい。低融点成分と高融点成分の組み合わせとしては、ポリエチレン−ポリエステル、低融点ポリエステル−高融点ポリエステル、ポリエチレン−ポリプロピレン、ポリプロピレン−ポリエステル等が挙げられる。なお、熱可塑性繊維は長繊維でも短繊維でもよい。特に本発明においては、ポリエチレンとポリエステルからなる芯鞘型複合長繊維で構成された、ユニチカ株式会社製のスパンボンド不織布「エルベス」（登録商標）等を用いるのが最も好ましい。
【００１１】
不織布の目付は任意であるが、一般的に３０〜２００ｇ／ｍ2程度のものを採用する。低目付のものは、単位面積当たりの繊維量が少ないため、構成繊維相互間の間隙が大きくなる。したがって、本発明に係るロープ入り袋を施肥体として使用した場合には、袋１の収納部に収納した肥料が漏出しやすくなり、施肥体の寿命が短くなる傾向が生じる。また、袋１の収納部に砂を収納して重錘体とした場合には、砂が漏出する恐れが生じる。一方、高目付のものは、単位面積当たりの繊維量が多いため、構成繊維相互間の間隙が小さくなる。したがって、袋１の収納部に収納した肥料が漏出しにくくなり、肥料が外部に出にくくなる傾向が生じる。
【００１２】
上記素材を用いて本発明に係るロープ入り袋を得るには、たとえば、筒状布帛素材の中空部に長手方向に沿って連続ロープ３を挿入しておき、袋群１，１，１・・・に対応する箇所以外の箇所に熱及び圧力を付加して、布帛素材中の熱可塑性繊維を溶融又は軟化させ、その箇所を融着固化させればよい（図２）。この場合には、熱及び圧力を付加した箇所、すなわち融着固化した箇所が封止領域群２，２，２・・・となり、その他の箇所が袋群１，１，１・・・となる。そして、封止領域２の融着固化によって、挿入されている連続ロープ３が固定される。また、連続ロープ３を挟んで、一枚の幅広の布帛素材を長手方向に沿って二つ折りして重合し、袋群１，１，１・・・に対応する箇所以外の箇所に、熱及び圧力を付加して、布帛素材中の熱可塑性繊維を溶融又は軟化させ、その箇所を融着固化させてもよい（図３）。この場合には、熱及び圧力を付加して融着固化した箇所は、封止領域群２，２，２・・・となると共に、折り目に対向する端縁が融着区域４となる。そして、その他の箇所が袋群１，１，１・・・となる。連続ロープ３は、封止領域２の融着固化によって固定される。なお、一般的に、連続ロープ３は袋の長手方向に沿って略中央に挿通されているのが好ましい。これは、袋１に被収納部を収納した場合に、片寄りが少なくバランスを取りやすいためである。しかし、連続ロープ３の位置が若干ずれて、融着区域４内に存在する場合があるが、何ら問題はない。さらに、連続ロープ３を挟んで二枚のテープ状布帛素材を重合し、袋群１，１，１・・・に対応する以外の箇所に、熱及び圧力を付加して、布帛素材中の熱可塑性繊維を溶融又は軟化させ、その箇所を融着固化させてもよい（図４）。この場合には、熱及び圧力を付加して融着固化した箇所は、封止領域群２，２，２・・・となると共に、長手方向に沿った両端縁が融着区域４となる。そして、その他の箇所が袋群１，１，１・・・となる。連続ロープ３は、封止領域２の融着固化によって固定される。なお、前記の場合と同様に、連続ロープ３は袋の長手方向に沿って略中央に挿通されているのが好ましいが、連続ロープ３の位置が若干ずれて、融着区域４内に存在していても、何ら問題はない。
【００１３】
前記した方法で得られたロープ入り袋は、袋群１，１，１・・・が長手方向に直列に配置された形状となっているが、袋は一個であってもよい（図５）。図５は、図３に示されたロープ入り袋において、袋を一個にしたものであるが、図２及び図４に示されたロープ入り袋において、袋を一個にしてもよい。また、前記した方法で得られたロープ入り袋は、隣り合う袋１，１間が全て封止領域２となっているが、図６に示すように、隣り合う袋１，１間が各々の封止領域２，２と露出した連続ロープ３とからなっていてもよい。図６は、図３に示されたロープ入り袋において、隣り合う袋１，１が各々封止領域２，２を持っており、各々の封止領域２，２は離れて、その間に連続ロープ３が露出しているものである。同様に、図２及び図４に示されたロープ入り袋においても、このような形状となっていてもよい。また、図６では、袋１の収納部内に挿通されている連続ロープ３は、収納部の中央に位置せずに、その端に位置している。これは、収納部に一個のペットボトルの如き大きな被収納物を収納した場合は、連続ロープ３が被収納物によって押し退けられたためである。本発明においては、連続ロープ３がかかる状態となっていても差し支えない。また、図２〜図５に示したロープ入り袋の場合も、かかる状態となっていても差し支えない。
【００１４】
連続ロープ３としては、長尺状の紐状又は帯状のものであれば、従来公知のどのようなものでも採用しうる。特に、前記した製造方法からも明らかなように、熱可塑性合成繊維製ロープであるのが好ましい。すなわち、連続ロープ３は封止領域２において、布帛素材の融着固化によって固定されるため、布帛素材と親和性が良好で密着性に優れたものであるのが好ましく、この観点から熱可塑性合成繊維製ロープが好ましいのである。また、封止領域２において、連続ロープ３が溶融して切断するのを防止するため、布帛素材が融着固化する温度では溶融しない融点を持つ熱可塑性合成繊維製ロープであるのが特に好ましい。たとえば、布帛素材としてポリエチレン成分を備えた構成繊維よりなる不織布を採用した場合、ポリプロピレン繊維製ロープであるのが好ましい。
【００１５】
また、封止領域２は圧力を付加して形成されるため、連続ロープ３は断面が偏平なものであるのが好ましい。断面が円形のロープでは、封止領域２においてロープと布帛との密着性が不十分となって、袋１の形成及び区画が不十分となり、袋１に粉状又は粉状の肥料や砂を収納した場合には、袋１から肥料や砂が漏出したり、袋１，１，１・・・間で肥料や砂が移動する恐れがある。特に、連続ロープ３として、中空ロープを採用するのは好ましいことである。なぜなら、圧力を付加する封止領域２では偏平となり、その他の箇所で中空で断面が円形となっており、高強力を維持しうるからである。かかる中空ロープとしては、ポリプロピレンストランドの如き熱可塑性合成繊維ストランドを編組して得られたものが好ましい。なお、編組されていることから、その表面には多数の凹凸が存在し、封止領域２における密着性乃至は接着性にも優れており、強固な固定が可能となる。かかる中空ロープは、工事現場等で緊締紐として使用されているものであり、緊締しやすく高強力なものである。
【００１６】
本発明に係るロープ入り袋の袋１の収納部には、所望の用途に応じて、各種の被収納物を収納することができる。たとえば、ロープ入り袋を重錘体として使用する場合は、袋１に金属や砂等を収納する。また、施肥体として使用する場合は、肥料等を収納する。さらに、浮きとして使用する場合、袋１に発泡体や使用済みのペットボトル等を収納する。かかる被収納物を収納するには、前記した製造方法において、封止領域２を形成しながら、順次、被収納物を収納してゆけばよい（特許文献１〜４を参照）。
【００１７】
本発明に係るロープ入り袋は、袋に連続ロープが結合固定され、連続ロープ３は袋の両端乃至は端末から露出している。したがって、この露出した連続ロープ３の部位を用いて各種支持体乃至は本体に緊締して用いる。また、ロープ入り袋同士の露出した連続ロープ３，３間を緊締し、所望長さのロープ入り袋にして、各種支持体乃至は本体に緊締して用いる。
【産業上の利用可能性】
【００１８】
本発明に係るロープ入り袋は、袋に各種の被収納物を収納し、カラス避けネット本体の端縁に沿って緊締することにより重錘体として、又は海苔網本体の端縁に沿って緊締することにより施肥体として、又は牡蠣養殖用筏に垂下させて緊締することにより施肥体として、又は網の端縁に沿って緊締したり或いは海岸の支柱に緊締することにより、浮きとして使用することができる。
【符号の説明】
【００１９】
１    袋
２    封止領域
３    連続ロープ
４    融着区域
【図１】
0005455125.tif 000002
【図２】
0005455125.tif 000003
【図３】
0005455125.tif 000004
【図４】
0005455125.tif 000005
【図５】
0005455125.tif 000006
【図６】
0005455125.tif 000007
【図７】
0005455125.tif 000008